(57)【要約】      （修正有）【課題】蔓皮を用いた編みバッグの均一性を高めて、製品ごとの色や材質のむらをなくした高品質の編みバッグを提供する。【解決手段】やまぶどう・くるみ・やまくるみ・アケビ等の蔓皮であって、その外周樹皮の表層で破砕破損した樹皮層＝鬼皮を剥ぎ、その一番皮（樹木の表面の水気を失った黒ずんだ鬼皮を剥ぎ、コルク層が残って内部に皮目を残した篩部迄）の表面であるコルク層を薄く削ぎ落して皮目を残して作成した薄厚の細幅帯でバッグ本体１及び編み取手５を編成した。編み取手５は、蔓皮の薄厚の細幅帯で作成したアーチ状に配した芯帯４の外側に蔓皮の薄厚の細幅帯を螺旋状に巻いて編成して、前記バッグ本体１の左右の開口縁に取り付けている。【選択図】図５
0003175020.tif 000002
【実用新案登録請求の範囲】
【請求項１】
やまぶどう等の蔓皮であって鬼皮を剥いだ一番皮の表面の表皮（２）を削ぎ落して作成した薄厚の細幅帯（３）で編成したバッグ本体（１）と編み取手（５）とからなることを特徴とする編みバッグ。
【請求項２】
やまぶどう等の蔓皮であって鬼皮を剥いだ一番皮の表面の表皮（２）を削ぎ落して作成した薄厚の細幅帯（３）で編成したバッグ本体（１）に、蔓皮の薄厚の細幅帯（３）で作成したアーチ状に配した芯帯（４）の外側に蔓皮の薄厚の細幅帯（３）を螺旋状に巻いて編成した二本一組の編み取手（５）を前記バッグ本体（１）の左右の開口縁（１０）に付けたことを特徴とする編みバッグ。
【請求項３】
前記二本一組の編み取手（５）の端部（６）を二股（９）とし、バッグ本体（１）の開口縁（１０）から垂下方向に編まれた編み帯（１１）を挟んで、開口縁（１０）に巻き付けて編み取手（５）を取り付けたことを特徴とする請求項２に記載の編みバッグ。
【請求項４】
前記二本一組の編み取手（５）の端部（６）をリング（７）とし、バッグ本体（１）の開口縁（１０）にその縁辺に直交する向きで固定した楕円形のリング（８）に連結して編み取手（５）を取り付け、前記の楕円形のリング（８）は、その下部を二股（９）にして、その二股（９）で編みバッグ（１）の左右の開口縁（１０）から垂下方向に編まれた編み帯（１１）を挟んでいることを特徴とする請求項２に記載の編みバッグ。
【考案の詳細な説明】
【技術分野】
【０００１】
本考案は、やまぶどう・くるみ・やまくるみ・アケビほか、つる植物の蔓皮の細幅帯（ひご）で編成した編みバッグに関し、とくに鬼皮を剥いだ一番皮の表面の表皮を削ぎ落して作成した蔓皮の細幅帯で編成した編みバッグに関するものである。
【背景技術】
【０００２】
従来、山野に自生するブドウ科のつる植物であるやまぶどう等の樹皮蔓皮は、日本では籠を始めとする収納用品などの材料として古くから利用されてきた。
しかし、樹皮はそれぞれの樹木ごとに表面模様や襞や皺が特異で、編成した籠などは、模様が異なり、個性を生かした個性的な製品が創られている。
しかし、インターネット時代での画像での製品の販売では、同じ製品なのにあまりに個性的で表面の色調や模様が異なっては、消費者の誤解を招くし、商品の品質の均等性が保証できない事態になる。
因みに藤製の籠などの考案があるが、形状には着眼点があっても自然素材の均等性は課題とはされていないようであり、蔓皮の製品については知見できない。
【先行技術文献】
【特許文献】
【０００３】
【特許文献１】実開平０６−３４９０７号公報
【考案の概要】
【考案が解決しようとする課題】
【０００４】
従来の籠製品では、材料に用いるつる植物の樹皮を清掃する程度に留めることで表面の模様を維持して個性を醸しているが、このことは反面製品ごとに色や材質にむらがあり、均一性を欠いていた。
店頭で現物販売するときは均一であることは必要でなかったこともあり、特に蔓皮の細幅帯の表面処理はなされていなかったし、処理をしないで個性を強調した商品であった。
そのため、樹皮によっては，黒ずんで汚れ、腐食やこぶがあり、白い樹脂抹が付着しているものもあった。
特に手に触れる取手は、清潔感や滑らかさが求められるが、十分な処理ではなかったといえる。
【０００５】
本考案の編みバッグは、鬼皮を剥いだ一番皮の表面の表皮をさらに削ぎ落して作成した薄厚の細幅帯を用いることが一つの特徴である。
さらに本考案では鬼皮を剥いだ一番皮の表面の表皮をさらに削ぎ落して作成した薄厚の細幅帯を、ブラッシングで研磨して光沢を出している。
これまで、鬼皮を剥いだ一番皮の表面の表皮をさらに削ぎ落して作成した薄厚の細幅帯で編成した編みバッグは見当たらない。
一番皮の表面の表皮を削ぎ落して作成するいわゆる磨き一番皮に加工した編みバッグは、知見していない。
【０００６】
本考案は、従来技術の問題点に鑑み、編みバッグの均一性を高めて、個性を維持しながら製品ごとの色や材質のむらをなくした編みバッグを提供することを課題とする。
【課題を解決するための手段】
【０００７】
本考案の編みバッグは、上記課題を解決するために、木本性つる植物のやまぶどう・くるみ・やまくるみ・アケビ等の蔓皮であって鬼皮を剥いだ一番皮の表面の表皮を削ぎ落して作成した薄厚の細幅帯で編成したバッグ本体と編み取手とからなることを特徴とするものである。
【０００８】
樹皮は、図８の模式図のように、外樹皮（蔓皮では鬼皮という破断した樹皮を含む樹皮層）と内樹皮（葉で同化した産物の輸送を担う篩部）と形成層（維管束形成層）からなり、樹皮は広義では通常この形成層の外側の部分を指称し、狭義では、前記内樹皮（篩部）とその外側に形成されるコルク層を含む部分を指称する。
コルク形成層とコルク形成層によって作られた部分（コルク層）を合わせて周皮といい、周皮には、周皮の内側と外側とのガス交換に作用する皮目という凹凸が作られ、皮目の外側の端は幹の外側に隆起していて特有の模様を作っている。
【０００９】
このような構造の樹皮であって木本性つる植物の蔓皮を用い、本考案の編みバッグは、外周樹皮の表層で破砕破損した樹皮層＝鬼皮を剥ぎ、その一番皮（樹木の表面の水気を失った黒ずんだ鬼皮を剥ぎ、コルク層が残って内部に皮目を残した篩部迄）の表面を０．０１〜１ｍｍ程度の厚さでコルク層を削ぎ落して皮目を残して作成した薄厚の細幅帯とし、その薄厚の細幅帯で編成したものである。
【００１０】
削ぎ落し加工は、所定長さと幅に切断した樹皮帯を、新規に開発した二枚刃の削ぎ具に表面を押し当てて押圧しながら引いて削ぎ落とすことで、鬼皮を剥ぎ、力の押圧加減で皮目を残してコルク層を薄く削ぎ落として薄厚の細幅帯を作成する。
鬼皮を剥いだ一番皮の表面の表皮を削ぎ落して作成した薄厚の細幅帯は、編み込みのとき又は編み込後に、ブラッシングで研磨して光沢を出している。
【００１１】
日本産のやまぶどうの樹皮は、粘性の高い強靭な繊維であるため加工が難しい素材であるが、先ず採取したやまぶどうの樹皮を剥ぎ、所定長さの細幅帯として準備し、次いで鬼皮を剥ぎ一番皮の表面の表皮を根元から枝先の方向へ向かって押圧加工・削ぎ加工を施すことで、削ぎ落しの艶が出て皮目の残る野趣ある表情を得ることができる。
【００１２】
このように、やまぶどう・くるみ・やまくるみ・アケビ等の木本性つる植物の蔓皮であって鬼皮を剥いだ一番皮の表面の表皮（２）を削ぎ落して作成した薄厚の細幅帯（３）で編成したバッグ本体（１）に、蔓皮の薄厚の細幅帯（３）で作成したアーチ状に配した芯帯（４）の外側に蔓皮の薄厚の細幅帯（３）を螺旋状に巻いて編成した二本一組の編み取手（５）を前記バッグ本体（１）の左右の開口縁（１０）に付ける構造とした編みバッグを開発した。
アーチ状の芯帯（４）の外側に蔓皮の薄厚の細幅帯（３）を螺旋状に巻いた編み取手（５）は強固で屈折や型崩れがなく、見栄えもよい。
【００１３】
また、バッグ本体（容器部  袋部）に編み取手（５）を取り付ける構造は二種類提示する。
【００１４】
第一の構造は、前記二本一組の編み取手の端部を二股とし、バッグ本体の開口縁から垂下方向に編まれた編み帯を挟んで、開口縁に巻き付けて編み取手を取り付ける構造とした。
【００１５】
第二の構造は、前記二本一組の編み取手の端部をリングとし、バッグ本体の開口縁にその縁辺に直交する向きで固定した楕円形のリングに連結して編み取手を取り付ける構造とした。
【００１６】
さらに、前記楕円形のリングは、その下部を二股にして、その二股で編みバッグの左右の開口縁から垂下方向に編まれた編み帯を挟む構造とした。
【考案の効果】
【００１７】
本考案の編みバッグは、上記課題を解決することにより、次のような技術的効果がある。
統一した美感にすることができる。
細幅帯の表面はなめらかで編みやすい。
細幅帯の厚さを調整して、バッグを軽量化できる。
色染めがしやすく仕上がりが綺麗である。
【００１８】
本考案においては、編みバッグ製品の表面印象の均一性を向上させるために、材料に用いる蔓植物の樹皮は、鬼皮を剥いだいわゆる一番皮をさらに表面削ぎ加工をした樹皮である。
【００１９】
本考案の編みバッグは、やまぶどう・くるみ・やまくるみ・アケビ等の蔓皮であって鬼皮を剥いだ一番皮の表面の表皮を削ぎ落して作成した薄厚の細幅帯を用いているので、表面は、光沢があり色彩が均等に出て、汚れや樹脂抹、毛羽立った繊維状皮などが残っていない均一性のある編み形状となり、商品価値を高めるし、色味の整った綺麗な製品を提供できる。
【００２０】
細幅帯は磨いているものではなく、後述する２枚刃の削ぎ具（加工具）に加圧しながら削り表面を整えてあるいわゆる「磨き一番皮」の色の統一感があり、艶のある皮目が残るしなやかな感触になる。
特に編み取手は、いわゆる磨き一番皮で巻き込んで作成しているので、持った感触の良い、滑らかでかつ握りやすい編み取手を提供できる。
【００２１】
一番皮は根本側を剥刃に押し当てて、手前方向へ引いて削ぐ。前列の刃と後列の刃
は、一番皮を削ぎ、みがきあげる。
この時の削ぎの厚さは０．０１ｍｍ〜０．０８ｍｍほどである。
細幅帯の幅は５ｍｍ乃至１０ｍｍくらいが加工しやすいうえに、完成した製品の強度が高い。
細幅帯は厚さが２ｍｍ〜３ｍｍ位が平均である。
【００２２】
本考案ではバッグ本体に取手を配設する構造を二種類示す。
編みバッグを使う人に用途や目的、またはその日の服装に適した編みバッグを提供するためであり、それぞれ以下のような特徴がある。
【００２３】
第一の構造は、二本一組の編み取手の端部を二股とし、バッグ本体の開口縁から垂下方向に編まれた編み帯を挟んで、開口縁に巻き付けて編み取手を取り付ける構造とした。
この構造の特徴は、取手と編みバッグ本体が直接連結されていて、取手が固く直立する点である。そのため、編みバッグを地面に置いた時に編み取手が下方に折れないので、機敏にしかも片手で取手を掌握することができる。
【００２４】
第二の構造は、前記二本一組の編み取手の端部をリングとし、バッグ本体の開口縁にその縁辺に直交する向きで固定した楕円形のリングに連結して編み取手を取り付ける構造とした。
さらに、前記楕円形のリングは、その下部を二股にして、その二股で編みバッグの左右の開口縁から垂下方向に編まれた編み帯を挟む構造とした。
この構造の特徴は、取手と編みバッグ本体が楕円形のリングによって間接に連結されていて取手を外側又は内側に屈折することができる点である。そのため、編みバッグを脇に抱えて持った際に編み取手が邪魔になることがない。
また、編み取手が屈折する分、自転車のかごや自動車のトランクなどに収納がしやすい利点もある。
【００２５】
編み取手が屈折すると使いにくい場合は、編み取手に革製やビニール製のグリップを巻いて、１組にすることもできる。その結果、取手が屈折するのを防止するとともに、取手の補強や汚れ防止などの効果もある。
【図面の簡単な説明】
【００２６】
【図１】本考案に係る編みバッグの材料である細幅帯と一番皮の表面の表皮を示した図面代用写真である。上が表皮を削ぎ落した細幅帯、下が鬼皮のある細幅帯である。
【図２】一番皮の表面の表皮を削ぎ落すために用いる二枚刃の削ぎ具を示した図面代用写真である。
【図３】本考案に係る編みバッグの実施例１を示すもので、バッグ本体と編み取手の取り付け一態様を示した図面代用写真である。
【図４】本考案に係る編みバッグの実施例２を示すもので、バッグ本体と編み取手の取り付け一態様を示した図面代用写真である。
【図５】本考案に係る編みバッグの実施例２を示すもので、バッグ本体と編み取手の取り付け一態様を拡大して示した図面代用写真である。
【図６】本考案に係る編みバッグの実施例２を示すもので、バッグ本体と編み取手の取り付け一態様を一部拡大して示した図面代用写真である。
【図７】本考案に係る編みバッグの実施例２を示すもので、バッグ本体と編み取手の取り付け一態様を側面から拡大して示した図面代用写真である。
【図８】樹皮の構造を示す模式図
【考案を実施するための形態】
【００２７】
図１は、一番皮の表面の表皮を削ぎ落したいわゆる磨き一番皮の細幅帯（３）と鬼皮（２）の付いた一番皮を示した図面代用写真である。
図２は、一番皮の表面の表皮（２）を削ぎ落すために用いる削ぎ具（３０）を示した図面代用写真である。
【００２８】
図２で示す通り、削ぎ具（３０）には剥刃（３１）（３３）が２枚あり、平行に設けた剥刃（３１）と剥刃（３３）の間に空間をおいて間隔（３２）を設けてある。
各刃（３１）（３３）とその間隔（３２）で、削ぎを調整している。
【００２９】
削ぎ具（３０）は左右端に設けられた釘を木台に打ち付けて固定して使用する。
細幅帯（３）までの作成工程は職人の技や道具によって、様々の手法できる。
Ａ：削ぎ具（３０）を使用する作業では、予め所定長さと幅  厚みに形成した一番皮を、削ぎ具（３０）と直交する方向に位置させて押圧して、剥刃（３１）と剥刃（３３）に当てて押圧して引っ張ることで，加減しながらの削ぎ落しができる。
厚さや幅もその当接具合と押圧で調整して希望の細幅帯（３）ができる。
Ｂ：二枚刃の削ぎ具（３０）を使用する別の用法では、縦方向にセットし削ぎ具（３０）の間隙（３２）にやまぶどうの蔓皮の一番皮の根本側の端をかませて、蔓全体を手前方向へ引くと、一番皮の表面の表皮（２）が削がれる使い方もある。
厚さが２ｍｍになるまで一番皮の表面の表皮（２）を削ぎみがきあげると細幅帯（３）が作成される。
この作業は、鬼皮とともにコルク層の極薄表層を削ぎ落してかつ皮目を残して野趣をだすもので、汚れやシミを除き品質の均等性を維持しながら、樹皮の皮目を表出できる。
この時の削ぎ磨く一番皮の表面の表皮（２）の厚さは０．０１ｍｍ〜０．１ｍｍほどであるが、０．０１ｍｍ〜０．０８ｍｍが好適である。
なお、細幅帯（３）の厚さは２ｍｍ位が好適であるが、制作する製品に適した厚さであればそれに限定されるものではない。
編みバッグ（１）には、様々な編み方があり、細幅帯（３）はそれに対応する寸法に作製され、寸法は前記記載に限定されるものではない。
【実施例１】
【００３０】
次にこの考案にかかる編みバッグ本体（１）と編み取手（５）について、添付した図面に示す実施例に基づいて説明する。
【００３１】
図３は本考案に係る編みバッグの実施例１を示すもので、編み取手（５）を取り付けた編みバッグ本体（１）の図面代用写真である。
編みバッグ（１）は、やまぶどうの蔓皮であって鬼皮を剥いだ一番皮の表面の表皮（２）を削ぎ落して作成した所謂磨き一番皮の薄厚の細幅帯（３）で編成したものである。
やまぶどうの外周樹皮を剥がして、表層で破砕破損した樹皮層＝鬼皮を剥ぎ、その一番皮（樹木の表面の水気を失った黒ずんだ鬼皮を剥ぎ、コルク層が残って内部に皮目を残した篩部迄）の表面を０．０３ｍｍ程度の厚さでコルク層を削ぎ落して皮目を残して作成した薄厚の細幅帯（３）で作成した。
編み取手（５）は、同じくやまぶどうの蔓皮から所謂磨き一番皮として薄厚の細幅帯（３）で作成したもので、アーチ状に配した芯帯（４）の外側に蔓皮の薄厚の細幅帯（３）を螺旋状に巻いて編成している。
【００３２】
図３の実施例１では、編み取手（５）を編みバッグ本体（１）に取り付ける構造は、二本一組の編み取手（５）の端部（６）を二股（９）とし、バッグ本体（１）の開口縁（１０）から垂下方向に編まれた編み帯（１１）を挟んで、開口縁（１０）に巻き付けて編み取手（５）を取り付ける構造とした。
この結果、編みバッグ本体（１）に編み取手（５）が緊締に直接連結された状態であるので、編み取手（５）が下方向へ垂れさがることはなく、自立する状態を保つこととなる。
【実施例２】
【００３３】
図４は本考案に係る編みバッグの実施例２を示すもので、バッグ本体と編み取手の取り付け一態様を示した図面代用写真である。
実施例１では、編みバッグ本体（１）に編み取手（５）が直接連結される構造としたが、実施例２では、二本一組の編み取手（５）の端部（６）をリング（７）とし、バッグ本体（１）の開口縁（１０）にその縁辺に直交する向きで固定した楕円形のリング（８）に連結して編み取手（５）を取り付けた。
編みバッグ（１）、編み取手（５）とも、やまぶどうの蔓皮であって鬼皮を剥いだ一番皮の表面の表皮（２）を削ぎ落して作成した所謂磨き一番皮の薄厚の細幅帯（３）で編成したものである。
【００３４】
図５は同じく本考案に係る編みバッグの実施例２の一部拡大写真を示すもので、バッグ本体と取手の取り付け一態様を示した図面代用写真である。
楕円形のリング（８）は、その下部を二股（９）にして、その二股（９）で編みバッグ（１１）の左右の開口縁（１０）から垂下方向に編まれた編み帯（１１）を挟んでいる。
楕円形のリング（８）の下部を二股（９）にすることで、楕円形のリング（８）が上下左右方向に過度にぐらつくのを防止できる。
【００３５】
図６と図７は同じく本考案に係る編みバッグの実施例２を示すもので、バッグ本体と取手の取り付けの一態様を示した異なる方向から写した図面代用拡大写真である。
図示の通り、楕円形のリング（８）をバッグ本体（１）の開口縁（１０）にその縁辺に直交する向きで固定している。
実施例では、楕円形のリング（８）の隙間をやや大きめにして、編み取手（５）が滞りなく屈折するようにした。
楕円形のリング（８）と編み取手（５）の端部（６）のリング（７）の各隙間を狭小にして緊縛すれば、編み取手（５）を屈折させないこともできる。
楕円形のリング（８）の口径は、編みバッグ（１）の大きさに合わせて小さくも大きくもできる。
【００３６】
編みバッグ（１）の編み方は、実施例１、実施例２に示すものに限らず、ななめ網代編、連続枡網代編、縄目編、みだれ編、六角細工編、棚網、菊模様編、木漏れ日編、透かし編、松葉編、麻の葉編、その他の装飾編が可能である。
やまぶどう・くるみ・やまくるみ・アケビ等の蔓皮素材によっては、その表皮繊維粘性が相違するので、薄厚の細幅帯（３）の長さ・厚さ・幅は編み方によっても、微調整される。
又、大抵は蔓皮から所謂磨き一番皮として薄厚の細幅帯（３）で作成したもので編成するが、なお色調を整えたいときは、灰汁処理して、色調を渋く陰りあるものにすることができる。
【００３７】
編み取手（５）を固定するか屈折自在にするかは、この実施例１・２以外にも連結構造はほかにもあり、例えば、屈折する編み取手（５）に連結グリップを巻いて固定することもある。
編み取手（５）の汚れ防止に透明ビニール管で被覆することや、取手に革やビニールを用いることも可能ではある。
編み取手（５）の補強や汚れを防止するに適した材質である限り、他の材質でもかまわない。
【産業上の利用可能性】
【００３８】
本考案の編みバッグは、ファッションバッグであるが、その素材の材料である細幅帯は、蔓皮の自然美を持ちながら表面が綺麗な皮目であるので寸法を調節することにより、さまざまな製品に用いることができる。
バッグのほか、行李、バスケット、ざる、鍋敷やコースターなど、用途は多岐に発展できる。
【符号の説明】
【００３９】
１    編みバッグ
２    鬼皮を剥いだ一番皮の表面の表皮
３    細幅帯（磨き一番皮）
３０  削ぎ具
３１  剥刃
３２  間隙（空間）
３３  剥刃
４    芯帯
５    編み取手
６    端部
７    リング
８    楕円形のリング
９    二股
１０  開口縁
１１  編み帯
【図１】
0003175020.tif 000003
【図２】
0003175020.tif 000004
【図３】
0003175020.tif 000005
【図４】
0003175020.tif 000006
【図５】
0003175020.tif 000007
【図６】
0003175020.tif 000008
【図７】
0003175020.tif 000009
【図８】
0003175020.tif 000010